(57)【要約】【課題】制動時に生じた熱を効率的且つ十分に外部に放散させることができるブレーキディスクを提供する。【解決手段】車両の車軸に取り付けられ、ブレーキパッドが押圧されて当該車両を制動するためのブレーキディスク１において、車両の車軸に取り付けられるブラケット部２と、ブレーキパッドが押圧されるディスク部３と、ブラケット部２及びディスク部３を相対移動可能に連結する連結手段４とを有して構成され、内周縁部又は外周縁部に放熱可能な複数のフィン部８が一体形成されたものである。【選択図】図１
2016038029.tif 000002
【特許請求の範囲】
【請求項１】
車両の車軸に取り付けられ、ブレーキパッドが押圧されて当該車両を制動するためのブレーキディスクにおいて、
内周縁部又は外周縁部に放熱可能な複数のフィン部が一体形成されたことを特徴とするブレーキディスク。
【請求項２】
前記フィン部は、それぞれの突出寸法が前記車軸の回転方向に順次小さくなるよう設定されて成ることを特徴とする請求項１記載のブレーキディスク。
【請求項３】
前記フィン部は、回転中心に対して所定角度傾斜して突出形成されるとともに、当該角度が鋭角とされたことを特徴とする請求項１又は請求項２記載のブレーキディスク。
【請求項４】
前記フィン部は、前記ブレーキパッドの摺動範囲の外側に形成されたことを特徴とする請求項１〜３の何れか１つに記載のブレーキディスク。
【請求項５】
車両の車軸に取り付けられるブラケット部と、前記ブレーキパッドが押圧されるディスク部と、前記ブラケット部及びディスク部を相対移動可能に連結する連結手段とを有して構成され、前記フィン部は、前記ディスク部の内周縁部に形成されたことを特徴とする請求項１〜４の何れか１つに記載のブレーキディスク。
【請求項６】
前記フィン部は、内周縁部に形成されたことを特徴とする請求項１〜５の何れか１つに記載のブレーキディスク。
【発明の詳細な説明】
【技術分野】
【０００１】
本発明は、車両の車軸に取り付けられ、ブレーキパッドが押圧されて当該車両を制動するためのブレーキディスクに関するものである。
【背景技術】
【０００２】
乗用車や二輪車等の車両に配設されて当該車両を制動可能なブレーキ装置として、ブレーキディスクとブレーキパッドとを具備したディスクブレーキ装置が普及するに至っている。かかるディスクブレーキ装置は、車両の車輪にブレーキディスクを取り付けて一体に回転可能とするとともに、そのブレーキディスクにブレーキパッドを押圧させることで、制動力を得るよう構成されている（例えば、特許文献１参照）。
【先行技術文献】
【特許文献】
【０００３】
【特許文献１】特開２００８−２３２４４１号公報
【発明の概要】
【発明が解決しようとする課題】
【０００４】
しかしながら、従来のブレーキディスクにおいては、例えば車両の制動を長時間又は繰り返し行った際、ブレーキパッドの摺動で生じる発熱対策が不十分であるという問題があった。特に、大型二輪車に適用されたブレーキディスクにおいては、ブレーキパッドの摺動により極めて高温まで発熱することがあり、その対策として効率的且つ十分に熱を外部に放散させ得るものが求められているのが実情である。なお、このような発熱対策は、ブラケット部とディスク部とが分割構成とされたフローティング型のブレーキディスクに限らず、車両の車軸に取り付けられる部位とブレーキパッドが押圧される部位とが一体の所謂ソリッド型と称されるブレーキディスクにおいても同様に求められている。
【０００５】
本発明は、このような事情に鑑みてなされたもので、制動時に生じた熱を効率的且つ十分に外部に放散させることができるブレーキディスクを提供することにある。
【課題を解決するための手段】
【０００６】
請求項１記載の発明は、車両の車軸に取り付けられ、ブレーキパッドが押圧されて当該車両を制動するためのブレーキディスクにおいて、内周縁部又は外周縁部に放熱可能な複数のフィン部が一体形成されたことを特徴とする。
【０００７】
請求項２記載の発明は、請求項１記載のブレーキディスクにおいて、前記フィン部は、それぞれの突出寸法が前記車軸の回転方向に順次大きくなるよう設定されて成ることを特徴とする。
【０００８】
請求項３記載の発明は、請求項１又は請求項２記載のブレーキディスクにおいて、前記フィン部は、回転中心に対して所定角度傾斜して突出形成されるとともに、当該角度が鋭角とされたことを特徴とする。
【０００９】
請求項４記載の発明は、請求項１〜３の何れか１つに記載のブレーキディスクにおいて、前記フィン部は、前記ブレーキパッドの摺動範囲の外側に形成されたことを特徴とする。
【００１０】
請求項５記載の発明は、請求項１〜４の何れか１つに記載のブレーキディスクにおいて、車両の車軸に取り付けられるブラケット部と、前記ブレーキパッドが押圧されるディスク部と、前記ブラケット部及びディスク部を相対移動可能に連結する連結手段とを有して構成され、前記フィン部は、前記ディスク部の内周縁部に形成されたことを特徴とする。
【００１１】
請求項６記載の発明は、請求項１〜５の何れか１つに記載のブレーキディスクにおいて、フィン部は、内周縁部に形成されたことを特徴とする。
【発明の効果】
【００１２】
請求項１の発明によれば、内周縁部又は外周縁部に放熱可能な複数のフィン部が一体形成されたので、ブレーキディスクの回転に伴ってフィン部を介して熱を外部に確実に放散することができ、制動時に生じた熱を効率的且つ十分に外部に放散させることができる。
【００１３】
請求項２の発明によれば、フィン部は、それぞれの突出寸法が車軸の回転方向に順次小さくなるよう設定されて成るので、制動時に生じた熱をよりより十分に外部に放散させることができる。
【００１４】
請求項３の発明によれば、フィン部は、回転中心に対して所定角度傾斜して突出形成されるとともに、当該角度が鋭角とされたので、制動時に生じた熱をよりより効果的に外部に放散させることができる。
【００１５】
請求項４の発明によれば、フィン部は、ブレーキパッドの摺動範囲の外側に形成されたので、制動時生じた熱を効率的且つ十分に外部に放散させることができるとともに、ブレーキディスクとブレーキパッドとの円滑な摺動を維持することができる。
【００１６】
請求項５の発明によれば、車両の車軸に取り付けられるブラケット部と、ブレーキパッドが押圧されるディスク部と、ブラケット部及びディスク部を相対移動可能に連結する連結手段とを有して構成され、フィン部は、ディスク部の内周縁部に形成されたので、ブラケット部とディスク部との間の空間にフィン部を配置することができ、当該空間を有効利用することができる。
【００１７】
請求項６の発明によれば、フィン部は、内周縁部に形成されたので、ブレーキディスクの取扱い時、フィン部に触れて破損させてしまうのを回避することができる。
【図面の簡単な説明】
【００１８】
【図１】本発明の第１の実施形態に係るブレーキディスクを示す平面図
【図２】図１におけるＩＩ−ＩＩ線断面図
【図３】同ブレーキディスクにおける連結手段の挿通部材を示す２面図
【図４】同ブレーキディスクにおける連結手段のカラーを示す２面図
【図５】同ブレーキディスクにおける連結手段の皿バネを示す図であって（ａ）平面図（ｂ）縦断面図
【図６】同ブレーキディスクにおける連結手段による連結部近傍を示す拡大図
【図７】同ブレーキディスクにおけるフィン部が形成された部位近傍を示す拡大図
【図８】同ブレーキディスクに適用されるブレーキパッドを示す平面図
【図９】同ブレーキディスクに適用されるブレーキパッドを示す断面図
【図１０】本発明の他の実施形態に示すブレーキディスクのフィン部を示す拡大図
【図１１】本発明の更に他の実施形態に係るブレーキディスクのフィン部を示す拡大図
【図１２】本発明の第２の実施形態に係るブレーキディスクを示す平面図
【図１３】図１２におけるＸＩＩＩ−ＸＩＩＩ線断面図
【図１４】同第２の実施形態に係るブレーキディスクのフィン部を示す拡大図
【図１５】同第３の実施形態に係るブレーキディスクを示す平面図
【図１６】本発明の第４の実施形態に係るブレーキディスクを示す平面図
【図１７】本発明の第５の実施形態に係るブレーキディスクを示す平面図
【図１８】本発明の技術的優位性を示す実験結果であって、ブレーキディスクの温度変化を示すグラフ
【図１９】本発明の技術的優位性を示す実験結果であって、ブレーキ液の温度変化を示すグラフ
【図２０】本発明の技術的優位性を示す実験結果であって、ブレーキディスクの温度変化を示すグラフ
【図２１】本発明の技術的優位性を示す実験結果であって、ブレーキ液の温度変化を示すグラフ
【図２２】本発明の技術的優位性を示す実験結果であって、ブレーキディスクの温度変化を示すグラフ
【図２３】本発明の技術的優位性を示す実験結果であって、ブレーキ液の温度変化を示すグラフ
【発明を実施するための形態】
【００１９】
以下、本発明の実施形態について図面を参照しながら具体的に説明する。
第１の実施形態に係るブレーキディスクは、自動二輪車等の車両の車輪に取り付けられて当該車輪と一体的に回転可能とされ、ブレーキパッドが押圧されることにより制動力を得るための部材から成るもので、図１、２に示すように、ブラケット部２と、ディスク部３と、連結手段４と、フィン部８とを有して構成されている。なお、ブレーキディスク１は、表面α及び裏面βを有した円板状部材から成るものとされている。
【００２０】
ブラケット部２は、例えばアルミニウム合金等から成る金属製板材をプレス加工して得られたもので、その所定位置には、複数の取付孔２ｂが形成されている。これら取付孔２ｂは、ボルト等の締結手段を挿通させ、ブレーキディスク１を自動二輪車等の車両における車輪（不図示）に固定させるものである。また、ブラケット部２の外周縁部には、連結手段４（フローティングピン）によりディスク部３が連結されており、全体形状として円板状のブレーキディスク１を構成している。
【００２１】
ディスク部３は、例えばステンレス等の金属製板材をプレス加工して得られたもので、所定位置には、多数の水切孔ａが形成されている。これら水切孔ａは、ディスク部３に形成された貫通孔から成り、例えばパンチング加工等により形成されたもので、表面積の増大による放熱性の向上、ブレーキディスク１の軽量化等を図り得るものとされている。かかるディスク部３は、ブレーキパッド９（図８、９参照）が押圧されて摺動し得る略円環状部材から成り、その表面α及び裏面βには、例えば高周波焼き入れ等、耐摩耗性向上のための表面処理が施されている。
【００２２】
ブレーキパッド９は、所定の摩擦材から成るもので、図８、９に示すように、キャリパー１０に保持された一対のピストン１１にそれぞれ形成されている。しかして、ブレーキレバー等の操作手段を操作すると、ブレーキ液が流路ｂを流れてピストン１１を変位させ、車輪と共に回転するディスク部３の表面α及び裏面βにブレーキパッド９を押圧して摺動させることにより制動力を得るよう構成されている。
【００２３】
なお、本実施形態においては、一対のピストン１１を有する対向ピストンタイプが適用されているが、他のタイプ（例えば、ピストンをブレーキディスク１の表裏面の何れか一方側のみに配設するとともに、ブレーキパッドを押圧した力の反力でキャリパー自体を反対側に変位させ、ピストンのない側のブレーキパッドをブレーキディスク１に押圧するタイプ等）を適用してもよい。
【００２４】
ブラケット部２には、連結手段４にてディスク部３と連結される複数の連結部２ａが形成されるとともに、ディスク部３には、連結手段４にてブラケット部２と連結される複数の連結部３ａが形成されている。具体的には、図６に示すように、ブラケット部２の連結部２ａは、半円弧状に形成された切欠き２ａａから成るとともに、ディスク部３の連結部３ａは、半円弧状に形成された切欠き３ａａから成り、これら切欠き２ａａ、３ａａを対向して形成された部位に連結手段４の挿通部材５（図２参照）を挿通させることによりブラケット部２とディスク部３とが連結されるよう構成されている。
【００２５】
連結手段４は、ブラケット部２及びディスク部３を相対移動可能に連結するためのもので、図２に示すように、挿通部材５と、カラー６と、皿バネ７（付勢手段）とを有して構成されている。なお、本実施形態に係る連結手段４は、ブレーキディスク１の所定位置（ブラケット部２とディスク部３との連結位置）において同心円上略等間隔に６個取り付けられており、各部位においてブラケット部２とディスク部３とを連結するよう構成されている。
【００２６】
挿通部材５は、ブラケット部２の連結部２ａ及びディスク部３の連結部３ａの間（具体的には切欠き２ａａ及び切欠き３ａａの間）に挿通して取り付けられ、当該ブラケット部２及びディスク部３の相対移動を可能とするもので、図３に示すように、中央に貫通孔５ｄが形成された筒状部材から成る。また、挿通部材５は、ブラケット部２の連結部２ａ及びディスク部３の連結部３ａの間に挿通した状態において、ブラケット部２の連結部２ａ及びディスク部３の連結部３ａの表面α側に当接可能なフランジ部５ａと、連結部２ａの切欠き２ａａの壁面と連結部３ａの切欠き３ａａの壁面との間に位置する挿通部５ｂと、かしめ可能な先端部５ｃとを有して構成されている。
【００２７】
カラー６は、ブラケット部２の連結部２ａ及びディスク部３の連結部３ａの間に挿通した挿通部材５の先端部５ｃ側に取り付けられ、皿バネ７を保持するためのもので、図４に示すように、フランジ部６ａ及び貫通孔６ｂが形成されて成る。具体的には、図２に示すように、ブラケット部２の連結部２ａ及びディスク部３の連結部３ａの間に挿通した挿通部材５の先端部５ｃ側にカラー６及び皿バネ７を取り付けた後、当該先端部５ｃをかしめることにより、皿バネ７を保持した状態でカラー６を取り付けることが可能とされている。
【００２８】
皿バネ７は、カラー６を介して挿通部材５に取り付けられ、ブラケット部２の連結部２ａ及びディスク部３の連結部３ａの裏面β側に当接して付勢力を付与し得るものであり、図５に示すように、縁部７ａ及び貫通孔７ｂが形成されて成る。すなわち、皿バネ７は、貫通孔７ｂの周縁部がカラー６に当接しつつ縁部７ａがブラケット部２の連結部２ａ及びディスク部３の連結部３ａの裏面β側に当接して取り付けられており、ブラケット部２及びディスク部３側に付勢力を付与し得るよう構成されているのである。なお、皿バネ７に代えて他の汎用的な付勢手段（コイルスプリングや軟質樹脂等）としてもよい。
【００２９】
しかして、ブラケット部２の連結部２ａ及びディスク部３の連結部３ａの間に連結手段４を取り付けることにより、図６に示すように、挿通部材５の挿通部５ｂと連結部２ａの切欠き２ａａの壁面及び連結部３ａの切欠き３ａａの壁面との間にクリアランスｔを有した状態とされ、少なくともクリアランスｔだけブラケット部２とディスク部３とが相対移動可能とされている。これにより、車両の制動時、ブレーキパッド９の摺動によりディスク部３が発熱して膨張した際、ブラケット部２に対して相対移動可能とされていることから、膨張後の収縮時、反りや歪み等を伴う変形が生じてしまうのを回避することができる。
【００３０】
ここで、本実施形態においては、ブレーキディスク１の内周縁部（ディスク部３の内周縁部）に放熱可能な複数のフィン部８が一体形成されている。特に、本実施形態に係るフィン部８は、ブレーキディスク１を構成するディスク部３の内周縁部（ブラケット部２に対向する縁面）において、内側に向かう突起形状を複数本（本実施形態においては８本）並べて成る部位が周方向６カ所に亘って形成されたものである。
【００３１】
より具体的には、フィン部８は、図７に示すように、例えばディスク部３の内周縁部における隣接する連結部３ａの間の部位に櫛形（突端を結ぶ線が弧状とされた櫛形）にプレス加工にて形成された部位から成る。本実施形態においては、ディスク部３を焼き入れ加工する際、高温状態でプレス加工（熱間プレス加工）することにより複数の突起部から成るフィン部８が形成されており、多数の細長いフィン部８を高精度に形成し得るようになっている。
【００３２】
さらに、本実施形態に係るフィン部８は、図１、７に示すように、それぞれの突出寸法が車軸の回転方向Ａに順次小さくなるよう設定（不動位置を基準として見た場合、当該ブレーキディスク１が回転するに従い突出寸法が順次大きくなるよう設定）されて成るとともに、ブレーキパッド９の摺動範囲γの外側に形成されている。また、各フィン部８は、ブレーキディスク１の回転中心に対して角度θだけ傾斜して突出形成（回転方向Ａに向かって傾斜しつつ延設）されており、本実施形態においては、当該角度θが鋭角とされている。なお、フィン部８は、例えば図１０に示すように他の形状（例えば、図示のものは各突端が直線状になるもの）としてもよく、或いは図１１に示すように他の本数（例えば、図示のものは１４本）としてもよい。
【００３３】
上記実施形態によれば、ブレーキディスク１の内周縁部に放熱可能な複数のフィン部８が一体形成されたので、ブレーキディスク１の回転に伴ってフィン部８を介して熱を外部に確実に放散（自己冷却）することができ、制動時に生じた熱を効率的且つ十分に外部に放散させることができる。特に、本実施形態に係るフィン部８は、ブレーキディスク１の内周縁部に一体形成されているので、他の部位をプレス加工する際に同時にフィン部８を形成することができ、製造工程を簡素化することができる。
【００３４】
また、本実施形態に係るフィン部８は、それぞれの突出寸法が車軸の回転方向Ａに対して順次小さくなるよう設定されて成るので、制動時に生じた熱をよりより十分に外部に放散させることができる。すなわち、それぞれのフィン部８の突出寸法が車軸の回転方向Ａに対して順次小さくなるよう設定されることにより、車軸と共にブレーキディスク１が回転する過程で、各フィン部８が周囲の空気を巻き込み易くなっており、熱の放散を良好に行わせることができるのである。加えて、フィン部８は、ブレーキディスク１の回転中心に対して所定角度θ傾斜して突出形成されるとともに、当該角度θが鋭角とされたので、制動時に生じた熱をよりより効果的に外部に放散させることができる。
【００３５】
さらに、本実施形態に係るフィン部８は、ブレーキパッド９の摺動範囲γの外側に形成されたので、制動時生じた熱を効率的且つ十分に外部に放散させることができるとともに、ブレーキディスク１（本実施形態においてはディスク部３）とブレーキパッド９との円滑な摺動を維持することができる。すなわち、フィン部８がブレーキパッド９の摺動範囲γの内側に形成されていると、ブレーキパッド９が摺動する際にフィン部８上を通過することとなり、滑らかな摺動が妨げられる虞があるのに対し、本実施形態の如く摺動範囲γの外側にフィン部８を形成すれば、当該不具合を回避できるのである。
【００３６】
またさらに、本実施形態においては、車両の車軸に取り付けられるブラケット部２と、ブレーキパッド９が押圧されるディスク部３と、ブラケット部２及びディスク部３を相対移動可能に連結する連結手段４とを有して構成され、フィン部８は、ディスク部３の内周縁部に形成されたので、ブラケット部２とディスク部３との間の空間にフィン部８を配置することができ、当該空間を有効利用することができる。
【００３７】
特に、本実施形態に係るフィン部８は、内周縁部（ディスク部３の内周縁部）に形成されたので、ブレーキディスク１の取扱い時、フィン部８に触れて破損させてしまうのを回避することができる。また、フィン部８を内周縁部に形成することにより、ブレーキパッド９を保持するキャリパー１０等の寸法変更を不要とすることができるとともに、自動二輪車の如くブレーキディスク１が視認可能に配設される場合、そのブレーキディスク１を意匠上良好なものとすることができる。
【００３８】
また、上記第１の実施形態に係るフィン部８に代えて、例えば第２の実施形態として、図１２〜１４に示すように、それぞれの突出寸法が車軸の回転方向Ａに対して順次大きくなるよう設定されたフィン部１２としてもよい。この場合、各フィン部１２は、ブレーキディスク１の回転中心に対して角度θだけ傾斜して突出形成（回転方向Ａと反対方向に向かって傾斜しつつ延設）されており、本実施形態においては、当該角度θが鈍角とされている。
【００３９】
さらに、上記の如くブレーキディスク１（ディスク部３）の内周縁部に形成されたフィン部８、１２に代えて、例えば第３の実施形態として、図１５に示すように、ブレーキディスク１（ディスク部３）の外周縁部に形成されたフィン部１３、或いは、例えば第４の実施形態として、図１６に示すように、ブレーキディスク１（ディスク部３）の内周縁部及び外周縁部の両方にそれぞれ形成されたフィン部８及びフィン部１３としてもよい。
【００４０】
またさらに、本発明の第５の実施形態として、図１７に示すような一体型のブレーキディスク１４（所謂ソリッドタイプ）にフィン部１５を一体形成するようにしてもよい。同図においては、ブレーキディスク１４の内周縁部に複数のフィン部１５が形成されているが、ブレーキディスク１４の外周縁部に複数のフィン部を形成するようにしてもよく、各フィン部は、それぞれの突出寸法が車軸の回転方向Ａに対して順次小さくなるもの、及び順次大きくなるものとしてもよい。
【００４１】
次に、本発明の技術的優位性を示す実験結果について以下に示す。
ブレーキディスク（ディスク部）の内周縁部に複数のフィン部（図１、２に示すように、それぞれの突出寸法が車軸の回転方向に対して順次小さくなるよう設定されて成るフィン部）が形成されたものを実施例ｊ、フィン部が一切形成されていないものを比較例ｈ１としてそれぞれ用意した。実験時の条件は、試験種類がダイナモフェードテスト、車重が２７２ｋｇ、制動前車速が１６０ｋｍ／ｈ、減速度が０．３Ｇ、冷却時間が３０ｓｅｃ、制動回数が２０回としたところ、ブレーキディスクの温度変化は、図１８のグラフで示す結果となり、ブレーキ液の温度変化は、図１９のグラフで示す結果となった。
【００４２】
かかる実験結果によれば、実施例ｊにおいては、図１８に示すように、制動回数１０〜２０回の最高温度の平均が３７８℃であったのに対し、比較例ｈ１においては、制動回数１０〜２０回の最高温度の平均が４２３℃であった。また、実施例ｊにおいては、図１９に示すように、制動回数２０回目のブレーキ液の最高温度が１２５℃であったのに対し、比較例ｈ１においては、ブレーキ液の最高温度が１４２℃であった。したがって、実施例ｊは、比較例ｈ１に対してブレーキディスクにおける制動回数１０〜２０回の最高温度の平均が４５℃低く、ブレーキ液における制動回数２０回目の最高温度が１７℃低いことから、フィン部が形成されていることにより、冷却性能に優れていることが分かった。
【００４３】
次に、比較例ｈ２として、フィン部の代わりに当該フィン部より大きい熱容量の部位（櫛形に形成されていない膨出部）を同一位置に形成したものを用意し、上記と同様の実験を行ったところ、ブレーキディスクの温度変化は、図２０のグラフで示す結果となり、ブレーキ液の温度変化は、図２１のグラフで示す結果となった。かかる実験結果によれば、実施例ｊにおいては、図２０に示すように、制動回数１０〜２０回の最高温度の平均が３７８℃であったのに対し、比較例ｈ２においては、制動回数１０〜２０回の最高温度の平均が４１１℃であった。また、実施例ｊにおいては、図２１に示すように、制動回数２０回目のブレーキ液の最高温度が１２５℃であったのに対し、比較例ｈ２においては、ブレーキ液の最高温度が１４１℃であった。したがって、実施例ｊは、比較例ｈ２に対してブレーキディスクにおける制動回数１０〜２０回の最高温度の平均が３３℃低く、ブレーキ液における制動回数２０回目の最高温度が１６℃低いことから、同等の熱容量であってもフィン部が形成されていることにより、冷却性能に優れていることが分かった。
【００４４】
次に、比較例ｈ３として、図１２〜１４に示すように、それぞれの突出寸法が車軸の回転方向に対して順次大きく、且つ、回転中心に対して所定角度（鈍角）傾斜するよう設定されて成るフィン部がブレーキディスク（ディスク部）の内周縁部に形成されたものを用意し、上記と同様の実験を行ったところ、ブレーキディスクの温度変化は、図２２のグラフで示す結果となり、ブレーキ液の温度変化は、図２３のグラフで示す結果となった。かかる実験結果によれば、実施例ｊにおいては、図２２に示すように、制動回数１０〜２０回の最高温度の平均が３７８℃であったのに対し、比較例ｈ３においては、制動回数１０〜２０回の最高温度の平均が３９０℃であった。
【００４５】
また、実施例ｊにおいては、図２３に示すように、制動回数２０回目のブレーキ液の最高温度が１２５℃であったのに対し、比較例ｈ３においては、ブレーキ液の最高温度が１２９℃であった。したがって、実施例ｊは、比較例ｈ３に対してブレーキディスクにおける制動回数１０〜２０回の最高温度の平均が１２℃低く、ブレーキ液における制動回数２０回目の最高温度が４℃低いことから、それぞれの突出寸法が車軸の回転方向に対して順次小さくなるよう設定され、回転中心に対して所定角度（鈍角）傾斜するよう設定されたフィン部の方が順次大きくなるよう設定されたフィン部よりも、冷却性能に優れていることが分かった。
【００４６】
以上、本実施形態について説明したが、本発明はこれに限定されるものではなく、例えばフィン部がブレーキパッドの摺動範囲の内側に形成されたもの、或いは熱間プレス加工以外の製造方法で形成されたもの（冷間プレス加工等）であってもよい。また、フィン部の形成位置は、ブレーキディスク１の内周縁部又は外周縁部であれば足り、上記実施形態と異なる位置に形成するようにしてもよい。なお、本実施形態においては、ブレーキディスク１におけるフィン部が他の部位と面一とされているが、フィン部の表面又は裏面と他の部位の表面α又は裏面βとで段差があるもの（厚さ寸法が異なるもの）としてもよい。
【産業上の利用可能性】
【００４７】
内周縁部又は外周縁部に放熱可能な複数のフィン部が一体形成されたブレーキディスクであれば、他の形状のもの或いは他の機能を有したもの等であってもよい。
【符号の説明】
【００４８】
１  ブレーキディスク
２  ブラケット部
３  ディスク部
４  連結手段
５  挿通部材
６  カラー
７  皿バネ（付勢手段）
８  フィン部
９  ブレーキパッド
１０  キャリパー
１１  ピストン
１２、１３  フィン部
１４  ブレーキディスク（一体型）
１５  フィン部
α  表面
β  裏面
【図１】
2016038029.tif 000003
【図２】
2016038029.tif 000004
【図３】
2016038029.tif 000005
【図４】
2016038029.tif 000006
【図５】
2016038029.tif 000007
【図６】
2016038029.tif 000008
【図７】
2016038029.tif 000009
【図８】
2016038029.tif 000010
【図９】
2016038029.tif 000011
【図１０】
2016038029.tif 000012
【図１１】
2016038029.tif 000013
【図１２】
2016038029.tif 000014
【図１３】
2016038029.tif 000015
【図１４】
2016038029.tif 000016
【図１５】
2016038029.tif 000017
【図１６】
2016038029.tif 000018
【図１７】
2016038029.tif 000019
【図１８】
2016038029.tif 000020
【図１９】
2016038029.tif 000021
【図２０】
2016038029.tif 000022
【図２１】
2016038029.tif 000023
【図２２】
2016038029.tif 000024
【図２３】
2016038029.tif 000025